(57)【要約】【課題】外部からの配線接続や電力供給用電源を用いることなく回転体への電力供給を可能とした回転体への給電構造。【解決手段】回転表示器１８は、表示器本体２０の一方の隔壁部２４Ａの軸心部にステッピングモータ４４のモータ軸４６先端が固着され、他方の隔壁部２４Ｂの軸心部には発電機４８が取り付けられる。回転表示器１８がステッピングモータ４４により回転駆動されると、回転表示装置１０のベース１２に固定された発電機軸５０の永久磁石５６により形成される磁界内で、表示器本体２０に取り付けたコイル５８が回転しコイル５８に電力が生成される。その電力を回転表示器１８内に設けた光表示器を構成するＬＥＤ基板３２のＬＥＤ３０に給電することで、外部からの配線接続や電力供給用電源が不要となる。【選択図】　　　　図１
2004054150.tif 000002
【特許請求の範囲】
【請求項１】
回転駆動力が伝達されて回転する回転体と、
前記回転体に設けられた情報表示部と、
前記回転体に設けられ回転体の回転エネルギーから電力を生成して前記情報表示部へ給電する発電手段と、
を有することを特徴とする回転体への給電構造。
【請求項２】
前記発電手段は前記回転体に取り付けられた電磁コイルであり、回転体を支持する支持側に取り付けられた磁界形成手段により形成される磁界内で回転されてその磁界内での回転による電磁作用により電力が生成されることを特徴とする請求項１記載の回転体への給電構造。
【請求項３】
前記回転体は、前記生成された電力を蓄える蓄電手段を更に有することを特徴とする請求項１又は請求項２記載の回転体への給電構造。
【請求項４】
回転駆動力が伝達されて回転するとともにその回転時に表示可能な情報表示部を備えた回転表示器と、
前記回転表示器に設けられ回転表示器の回転エネルギーから電力を生成して前記情報表示部へ給電する発電手段と、
を有することを特徴とする回転表示装置。
【請求項５】
前記発電手段は前記回転表示器に取り付けられた電磁コイルであり、回転表示器を支持する支持側に取り付けられた磁界形成手段により形成される磁界内で回転されてその磁界内での回転による電磁作用により電力が生成されることを特徴とする請求項４記載の回転表示装置。
【請求項６】
前記回転表示器は、前記生成された電力を蓄える蓄電手段を更に有することを特徴とする請求項４又は請求項５記載の回転表示装置。
【請求項７】
前記回転表示器は、前記情報表示部を制御する制御手段と、前記制御手段に入力される制御情報を受信する受信手段と、を更に有することを特徴とする請求項４〜請求項６の何れか１項記載の回転表示装置。
【発明の詳細な説明】
【０００１】
【発明の属する技術分野】
本発明は、回転体への給電構造、及び回転表示装置に係り、詳しくは、遊技機等に用いられ、抽選時の図柄や各種情報等を表示する情報表示部を備えた回転表示器等に電力を供給するための回転体への給電構造、及び回転表示装置に関する。
【０００２】
【従来の技術】
パチンコ機やパチスロ機等の遊技機では、抽選時の図柄や各種情報を表示するため、あるいは演出効果を高めるためなどに、ドラムや球体等の回転表示器（回転体）を用いる回転式の表示装置を搭載した機種がある。
【０００３】
この回転式の表示装置（以下、「回転表示装置」という）には、回転表示器に光による演出を加えるため、回転表示器の側方に点灯用回路基板を回転表示器と接触しないよう配設し、回転表示器の内部に発光体を臨ませ点灯させるもがある（従来例１）。
【０００４】
また、発光体を回転表示器内に設けて内側から照明するものもあり、その場合の発光体への電力供給には、外部から回転表示器の中空回転軸内へ電力供給用配線を挿通させ、回転表示器内部の点灯用回路基板に配線接続するものや（従来例２）、特開２００１−１７６３９号公報に示されるように、外部電源に接続された固定側の一次コイルと、回転表示器に設けられた回転側の二次コイルとの電磁誘導作用を利用するものがある（従来例３）。
【０００５】
【発明が解決しようとする課題】
しかしながら、上述した従来例１では、側方から回転表示器内へと臨ませた発光体による照明であり、照明できる範囲が限られる。さらに、動きのない照明では多様な演出を生み出することも困難である。
【０００６】
また、回転表示器への給電に関する従来例２では、回転表示器の回転により接続配線がねじれたり絡み合う危険性がある。さらに、配線があることで回転動作に制限を受けるため、複雑な動きをさせることによる演出効果の向上等には対応しにくい。
【０００７】
従来例３の場合は、回転表示器を回転可能に取り付けるための回転クリアランスを設けることで、一次コイルと二次コイルの間隔が大きくなり、それによって送電ロスを生じる。また、非接触の給電構造ではあるが、回転表示器内の発光体を点灯させる専用の電源を設ける必要がある。
【０００８】
本発明は上記事実を考慮して、外部からの配線接続や電力供給用電源を用いることなく回転体への電力供給を可能とした回転体への給電構造、及び、回転表示器の表示や動作による演出効果を向上させた回転表示装置を提供することを課題とする。
【０００９】
【課題を解決するための手段】
上記目的を達成するために請求項１に記載の発明は、回転駆動力が伝達されて回転する回転体と、前記回転体に設けられた情報表示部と、前記回転体に設けられ回転体の回転エネルギーから電力を生成して前記情報表示部へ給電する発電手段と、を有することを特徴としている。
【００１０】
請求項１に記載の発明では、回転駆動力が伝達されて回転体が回転すると、発電手段は回転体の回転エネルギーから電力を生成して、回転体に設けられた情報表示部へ給電する。これにより、外部からの配線接続や電力供給用電源を用いなくても回転体に設けた情報表示部への電力供給が可能となる。
【００１１】
請求項２に記載の発明は、請求項１記載の回転体への給電構造において、前記発電手段は前記回転体に取り付けられた電磁コイルであり、回転体を支持する支持側に取り付けられた磁界形成手段により形成される磁界内で回転されてその磁界内での回転による電磁作用により電力が生成されることを特徴としている。
【００１２】
請求項２に記載の発明では、回転体が回転すると、回転体に取り付けられた電磁コイルが、回転体を支持する支持側に取り付けられた永久磁石や電磁石等の磁界形成手段により形成される磁界内で回転する。電磁コイルが磁界内で回転すると、電磁コイルには電磁作用により電力が生成される。このように、発電手段に電磁作用により電力を生成する電磁コイルを用いて電磁コイルから直接給電することにより、送電ロスのない給電が可能となる。
【００１３】
請求項３に記載の発明は、請求項１又は請求項２記載の回転体への給電構造において、前記回転体は、前記生成された電力を蓄える蓄電手段を更に有することを特徴としている。
【００１４】
請求項３に記載の発明では、回転体にコンデンサやバッテリ等の蓄電手段を設け、生成された電力をその蓄電手段に蓄えることにより、回転体が停止し発電が行われない状態でも、蓄電手段からの電力供給が可能となる。
【００１５】
請求項４に記載の発明は、回転駆動力が伝達されて回転するとともにその回転時に表示可能な情報表示部を備えた回転表示器と、前記回転表示器に設けられ回転表示器の回転エネルギーから電力を生成して前記情報表示部へ給電する発電手段と、を有することを特徴としている。
【００１６】
請求項４に記載の発明では、回転駆動力が伝達されて回転表示器が回転すると、発電手段は回転表示器の回転エネルギーから電力を生成して、回転表示器に設けられた発光体や液晶表示器等の情報表示部へ給電する。これにより、外部からの配線接続や電力供給用電源を用いなくても回転表示器に設けた情報表示部への電力供給が可能となり、回転表示器とともに回転する情報表示部を用いての高い演出効果を得ることができる。さらに、配線がないことで、回転表示器の回転動作の自由度も高まるため、回転表示器に複雑な動きを与えることによる演出効果の向上も可能となる。
【００１７】
請求項５に記載の発明は、請求項４記載の回転表示装置において、前記発電手段は前記回転表示器に取り付けられた電磁コイルであり、回転表示器を支持する支持側に取り付けられた磁界形成手段により形成される磁界内で回転されてその磁界内での回転による電磁作用により電力が生成されることを特徴としている。
【００１８】
請求項５に記載の発明では、回転表示器が回転すると、回転表示器に取り付けられた電磁コイルが、回転表示器を支持する支持側に取り付けられた磁界形成手段により形成される磁界内で回転する。電磁コイルが磁界内で回転すると、電磁コイルには電磁作用により電力が生成される。このように、発電手段に電磁作用により電力を生成する電磁コイルを用いて電磁コイルから直接給電することにより、送電ロスのない給電が可能となる。
【００１９】
請求項６に記載の発明は、請求項４又は請求項５記載の回転表示装置において、前記回転表示器は、前記生成された電力を蓄える蓄電手段を更に有することを特徴としている。
【００２０】
請求項６に記載の発明では、回転表示器に蓄電手段を設け、生成された電力をその蓄電手段に蓄えることにより、回転表示器が停止し発電が行われない状態でも、蓄電手段から表示手段への電力供給が可能となる。
【００２１】
請求項７に記載の発明は、請求項４〜請求項６の何れか１項記載の回転表示装置において、前記回転表示器は、前記情報表示部を制御する制御手段と、前記制御手段に入力される制御情報を受信する受信手段と、を更に有することを特徴としている。
【００２２】
請求項７に記載の発明では、回転表示器に設けた受信手段により外部の発信手段から発信された制御情報が受信され、その制御情報が制御手段に送られて制御手段により情報表示部が制御される。
【００２３】
このように、情報表示部を外部から制御することにより、多様な表示形態をつくりだすことができる。例えば、遊技機等にこの回転表示装置を用いる場合は、情報表示部としての発光体による発光状態の変化等によって抽選図柄や遊技情報等を表示することも可能となる。
【００２４】
【発明の実施の形態】
以下、図面を参照して本発明の実施の形態を説明する。なお、以下の実施形態では、パチンコ機の遊技盤に取り付けられ遊技に関する各種情報等を表示するドラム式の回転表示装置を例に説明する。
【００２５】
図１には、本発明の実施形態に係る回転表示装置を上方から見た水平断面図が示されており、図２には、回転表示装置に設けられた回転表示器を側方から見た垂直断面図が示されている。また図１では、パチンコ機の前方を矢印Ｆ方向とし、後方を矢印Ｒ方向として示している。図２では、前方、後方、上方、下方をそれぞれ、矢印Ｆ、Ｒ、Ｕ、Ｄで示している。
【００２６】
図１に示されるように、回転表示装置１０は、パチンコ機本体へセットされる遊技盤Ｂの裏面にベース１２が取り付けられている（取付構造は図示省略）。ベース１２には、後壁部１４から前方へ垂直に延びる一対の壁部１６Ａ、１６Ｂが設けられており、この壁部１６Ａ、１６Ｂの間に、遊技盤Ｂと略平行な水平軸心Ｌを中心に回転するドラム状の回転表示器１８が配置されている。
【００２７】
回転表示器１８は、光透過性を有する樹脂材料により形成された中空円筒状の表示器本体（回転体）２０を備えている。表示器本体２０の筒部２２内には、筒部２２の両側端部からそれぞれ少し内側に入った位置に、軸心Ｌに対して垂直な向きとされた一対の隔壁部２４Ａ、２４Ｂが形成されている。この一対の隔壁１６Ａ、１６Ｂによって仕切られた内部空間には、光による表示を行う表示器ユニット２６が収納されている。
【００２８】
図２に示されるように、表示器ユニット２６は、表示器本体２０の筒部２２内に収まる外形寸法で内部が中空とされた正八角柱状の基板取付体２８を備えている。基板取付体２８は、回転表示器１８の軸心Ｌと同軸的に表示器本体２０に取り付けられており（取付部は図示省略）、外周面には、複数のＬＥＤ３０をマトリックス状にマウントした光表示器としてのＬＥＤ基板３２（図３参照）が各面に１枚づつ、合計８枚取り付けられている。
【００２９】
基板取付体２８の内部には、一対の平行板３４Ａ、３４Ｂが配置されている。一対の平行板３４Ａ、３４Ｂは、互いに平行とされ、長手方向両端部が八角形の基板取付体２８の対向する内面へ一体的に固着されている。これら一対の平行板３４Ａ、３４Ｂの間には、図示しない配線により各ＬＥＤ基板３２と接続された表示制御基板３６が収納されている。
【００３０】
表示制御基板３６には、図１に示されるように、各ＬＥＤ基板３２を個別に制御して各基板の各ＬＥＤ３０の発光状態を切り替えることで図柄等を表示させる表示制御回路３８が設けられている。他に、ダイオード（半導体整流素子）又はサイリスタ（半導体制御整流素子）等の整流素子を用いて構成される整流回路４０、コンデンサ又は蓄電用バッテリ等の蓄電器を用いて構成される蓄電回路４２等も設けられている。
【００３１】
この表示器ユニット２６を内蔵した表示器本体２０は、一方の隔壁部２４Ａの軸心部に、ステッピングモータ４４のモータ軸４６先端が固着されている。ステッピングモータ４４は、底面がベース１２に設けられた一方の壁部１６Ａに図示しないネジによって取り付けられ、パチンコ機本体側に設けられた図示しない主制御基板に接続されている。そして主制御基板から所定の駆動信号が入力されると、モータ軸４６を回転駆動して回転表示器１８を回転させ（図２の矢印Ａ方向）、停止信号の入力により、表示器ユニット２６に設けられた８枚のＬＥＤ基板３２の何れかを前方へ向けた回転角度にて回転表示器１８を停止させることができる。
【００３２】
また、表示器本体２０の他方の隔壁部２４Ｂの軸心部には、発電機４８が取り付けられている。発電機４８は、軸心Ｌと同心且つ固定的に配置された発電機軸５０を備え、発電機軸５０は、先端部がベース１２の他方の壁部１６Ｂに形成された貫通孔５２に圧入されて回転不能に固定されている。また、発電機軸５０の基端部は、ベアリング５４を介して表示器本体２０の隔壁部２４Ｂを回転可能に軸支している。
【００３３】
発電機軸５０の中間部外周には、周方向に沿って同数のＮ極及びＳ極が交互に配列された円筒状の永久磁石５６が固定されている。さらに永久磁石５６の外周側には、永久磁石５６の外周面との間に隙間を設けた円筒状のコイル５８が配置されており、コイル５８は、軸心Ｌと同軸に表示器本体２０の隔壁部２４Ｂに固定されている。またコイル５８を形成する導線の各端部は、表示制御基板３６の整流回路４０に接続されている。
【００３４】
これにより、表示器本体２０（回転表示器１８）が回転されると、コイル５８は表示器本体２０とともに軸心Ｌを中心に回転する。またここでは、発電機軸５０に固定された永久磁石５６により形成される磁界内で回転されるため、磁界内での回転による電磁作用によってコイル５８に電力が生成される。
【００３５】
また、発電機４８の外周側には、リング状の通信装置６０が配置されている。この通信装置６０は、投光及び受光デバイスの組み合わせによる光通信又は無線通信等によるもので、発信機６２がベース１２の壁部１６Ｂに固定され、その発信機６２と対向するよう受信機６４が表示器本体２０の隔壁部２４Ｂに固定されている。また発信機６２は、パチンコ機本体側に設けられた主制御基板又は図柄制御基板（いずれも図示省略）に接続されており、受信機６４は、表示器ユニット２６に設けられた表示制御基板３６の表示制御回路３８に接続されている。
【００３６】
これにより、主制御基板又は図柄制御基板から出力された表示情報（表示制御信号）が発信機６２から受信機６４へ送信され、表示制御基板３６に入力される。
【００３７】
次に、本実施形態の作用について説明する。
【００３８】
回転表示装置１０の回転表示器１８がステッピングモータ４４に駆動されて回転すると、回転表示器１８に設けられた発電機４８は、回転表示器１８の回転エネルギーから電力を生成する。詳しくは、回転表示器１８に取り付けられたコイル５８が、回転表示器１８を支持する発電機軸５０に取り付けられた永久磁石５６により形成される磁界内で回転し、その磁界内での回転による電磁作用によりコイル５８に電力が生成される。
【００３９】
生成された電力は、表示制御基板３６の整流回路４０により整流されて各ＬＥＤ基板３２のＬＥＤ３０へ給電され、ＬＥＤ３０を発光させるための電源電力となる。また、電力の一部は蓄電回路４２へ送られて蓄電される。
【００４０】
一方、表示制御基板３６の表示制御回路３８は、通信装置６０の受信機６４によって受信された表示情報に基づき、光表示器としての各ＬＥＤ基板３２を制御する。これにより、各ＬＥＤ基板３２には、マトリックス状とされたＬＥＤ３０の発光／非発光状態の組み合わせにより形成される図柄等が表示される。なお、回転表示器１８が停止された際は、蓄電回路４２に蓄えられた電力がＬＥＤ発光のための電源電力となる。
【００４１】
図３は、パチンコ機の正面側（図１及び図２の矢印Ｓ方向）から回転表示器１８を見た際の表示図柄を示した図である。
【００４２】
同図では、黒色で示したＬＥＤ３０を発光状態、白色で示したＬＥＤ３０を非発光状態として示しており、このＬＥＤ３０の発光／非発光状態の組み合わせによって、例えば、図３（Ａ）に示される「７７」のような数字による図柄や、図３（Ｂ）に示される「ＫＪ」のような文字による図柄等が表示される。また他にも、「○」、「☆」、「↑」等の記号を用いた図柄や、図柄以外の遊技に関する各種情報等を表示することができる。
【００４３】
以上説明したように、本実施の形態に係る回転表示装置１０では、回転表示器１８の回転エネルギーから電力が生成されてＬＥＤ基板３２へ給電されるため、外部からの配線接続や電力供給用電源を用いなくても、回転表示器１８に設けたＬＥＤ基板３２（ＬＥＤ３０の発光／非発光状態の組み合わせ）による図柄の表示が可能となる。したがって、回転表示器１８とともに回転する光表示器（ＬＥＤ基板３２）を用いての高い演出効果が得られる。さらに、配線がないことで、回転表示器１８の回転動作の自由度も高まるため、回転表示器１８に複雑な動きを与えることによる演出効果の向上も可能となる。
【００４４】
また、本実施の形態では、電磁作用によりコイル５８に生成された電力が、直接、表示制御基板３６及びＬＥＤ基板３２へ給電されることにより、送電ロスのない給電が可能となる。
【００４５】
また、本実施の形態では、生成された電力が表示制御基板３６の蓄電回路４２に蓄えられることにより、回転表示器１８が停止し発電が行われない状態でも、ＬＥＤ基板３２への電力供給が可能となる。
【００４６】
さらに、本実施の形態では、発信機６２から発信された制御情報を回転表示器１８に設けた受信機６４により受信し、その制御情報に基づいて表示制御基板３６によりＬＥＤ基板３２を制御することにより、表示図柄や光による演出等を回転表示器１８の外部から制御して、多様な表示形態をつくりだすことができる。
【００４７】
以上、本発明を上述した特定の実施形態により詳細に説明したが、本発明はそれに限定されるものではなく、本発明の範囲内にて他の種々の実施形態が可能である。
【００４８】
例えば、上述した実施の形態では、情報表示部として、複数のＬＥＤ３０がマウントされたＬＥＤ基板３２を使用したが、ランプ等の他の発光体を用いて構成しもよく、さらにはドット式表示器や液晶表示器等に置き換えることもできる。回転表示装置１０の回転表示器１８については、本実施の形態のようなドラム式に限らず、球体等の他の回転表示器とすることもできる。
【００４９】
また、表示器本体２０の外周面に、数字等の図柄が描かれた光透過性フィルムを巻き付け、回転表示器１８の回転時にそのフィルム上の図柄に光による演出を加えたり、フィルム上の図柄に対し光表示器の図柄を、回転表示器１８の回転方向とは逆方向に回転させるなどのゲーム演出も可能である。さらに、蓄電回路４２に蓄えた電力を利用して、ＬＥＤ３０の消灯時に余韻を持たせるような演出を行うこともできる。
【００５０】
また、本発明は、パチンコ機以外の遊技機に装備される回転表示装置にも適用可能であり、さらには、回転表示装置に設けられた回転表示器以外の回転体への給電にも適用することがきる。
【００５１】
【発明の効果】
本発明の回転体への給電構造、及び回転表示装置は上記構成としたので、外部からの配線接続や電力供給用電源を用いることなく回転体への電力供給が可能となり、また回転表示器の表示や動作による演出効果を向上させることができる。
【図面の簡単な説明】
【図１】本発明の実施形態に係る回転表示装置を示した上方から見た水平断面図である。
【図２】本発明の実施形態に係る回転表示器を示した図１の２−２線断面図である。
【図３】本発明の実施形態に係る表示図柄の例を示した図で、（Ａ）は数字による図柄であり、（Ｂ）は文字による図柄である。
【符号の説明】
１０　　　　回転表示装置
１８　　　　回転表示器
２０　　　　表示器本体（回転体）
３２　　　　ＬＥＤ基板（情報表示部）
３６　　　　表示制御基板（制御手段）
４２　　　　蓄電回路（蓄電手段）
４８　　　　発電機
５０　　　　発電機軸（支持側）
５６　　　　永久磁石（磁界形成手段）
５８　　　　コイル（発電手段／電磁コイル）
６４　　　　受信機（受信手段）
【図１】
2004054150.tif 000003
【図２】
2004054150.tif 000004
【図３】
2004054150.tif 000005